(57)【要約】【課題】    下枠上面をフラットにしても室内側への雨水等の浸入を確実に防止することができる建具を提供すること。【解決手段】室内側レール部３０Ａ、レール間上面部材３２、および室外側レール部３０Ｂの各々の上面を略同一高さ位置に設けて下枠１２を上面略フラットに形成するとともに、室内側召合せ框１８Ａ下端に設けた摺動部材４０の摺動片４１に排水開口部４２を形成したことで、室内側のレール部３０Ａや気密材３１Ａに沿って流れてきた雨水等が、排水開口部４２から排水され、レール部３０Ａ上面に浸入した水を、召合せ部２３を超えて室内側まで流入させずに、その手前で下枠内部空間１２５に落下させて排水することができ、室内側に露出した下枠１２上面への雨水等の浸入がない引違い窓１０を構成することができる。【選択図】  図７
2006188818.tif 000002
【特許請求の範囲】
【請求項１】
上枠、下枠、および左右の縦枠を有する窓枠と、この窓枠内側に支持された少なくとも室内側および室外側の一対の障子とを備え、これら一対の障子のうちの少なくとも室内側障子が開閉可能に構成された建具であって、
前記下枠は、前記室内側障子の戸車を案内するレール部と、このレール部の室外側に隙間を介して設けられた下枠上面部とを備え、これらのレール部および下枠上面部の上面により当該下枠が上面略平坦に構成され、
前記室内側障子は、前記レール部と前記下枠上面部との間に挿入される垂下片を有して構成され、この垂下片の室内側側面および前記レール部の室外側側面のいずれか一方には、他方に当接する気密材が設けられ、
前記室内側障子の垂下片における前記一対の障子を閉じた状態で室内空間に位置する部分には、当該レール部上面に浸入した水を排水する排水手段が設けられている建具。
【請求項２】
前記障子は上框、下框、および左右の縦框を有して形成され、前記下框の下端室外縁には、下方に突出した突出片が設けられ、前記室内側障子における召合せ部の縦框の下端部には、摺動片を有した摺動部材が設けられ、
前記垂下片は、連続して配置された前記下框の突出片と前記摺動部材の摺動片とで構成され、
前記排水手段は、前記摺動部材の摺動片に設けられている請求項１に記載の建具。
【請求項３】
前記摺動部材は、前記レール部の上面に摺接するまたは近接する底面部を有して形成されている請求項２に記載の建具。
【請求項４】
前記排水手段は、前記垂下片の下端縁で開口する開口部であって、この開口部の上端は、前記レール部または前記気密材の上面よりも上方に位置している請求項１から請求項３のいずれかに記載の建具。
【請求項５】
前記室外側の障子は、前記下枠に設けられた室外側のレール部に案内されて開閉可能に構成され、前記下枠上面部は、前記室内外の各レール部間に着脱自在に設けられたレール間上面部材であり、
前記室内側障子の垂下片の排水手段から排水された水は、前記レール間上面部材の下方に形成された下枠内部空間を介して室外空間に排水される請求項１から請求項４のいずれかに記載の建具。
【発明の詳細な説明】
【技術分野】
【０００１】
本発明は、引違い窓や片引き窓等の建具に関し、詳しくは、下枠の上面が略平坦（フラット）に形成され、室内外の床材上面との段差を小さくしたバリアフリータイプの掃出し窓に用いられる建具に関する。
【背景技術】
【０００２】
住宅等のテラスやバルコニー等に面した外壁位置には、居住者が室内からテラス等に出入りするための掃出し窓が設けられている。このような掃出し窓としては、外壁に固定された窓枠と、この窓枠内にスライド自在に支持された可動障子とを備えた、引違い窓や片引き窓等の建具（サッシ窓）が一般的である。
このサッシ窓として、近年、居住者の高齢化や、車いす利用者の利便性等に配慮したバリアフリータイプの掃出し窓が提案されている（例えば、特許文献１参照）。
【０００３】
特許文献１に記載された掃出し窓は、上面が略フラットに形成された下枠と、室内外の障子とを備えた引違い窓であって、下枠上面には、障子の戸車を案内する案内溝と、障子下端の室外側に垂下されたスライド片を挿入するスライド溝とが形成されている。そして、障子のスライド片の室内側側面に取り付けられた気密材と、スライド溝の室外側側面とが当接することで、タイトラインが形成されるようになっている。
【０００４】
【特許文献１】特開２００２−２１３１５４号公報
【発明の開示】
【発明が解決しようとする課題】
【０００５】
しかしながら、前記特許文献１に記載の下枠および障子の構造では、スライド溝が案内溝よりも室外側に形成されており、障子のガラスパネルと下框との間に雨水等が浸入した場合には、この雨水等が下枠上面に落下して案内溝や気密材の上面に溜まってしまうことになる。そして、特に、室内側の案内溝や室内側障子の気密材の上面に溜まった雨水等は、気密材に阻まれて排水されずに案内溝や気密材に沿って流れ、室内側障子の召合せ部を超えて室内側まで浸入する可能性がある。このように従来の構造では、障子を閉じた際に室内側に露出する下枠上面に雨水等が浸入するという問題がある。
【０００６】
本発明の目的は、下枠上面をフラットにしても室内側に露出する下枠上面への雨水等の浸入を確実に防止することができる建具を提供することにある。
【課題を解決するための手段】
【０００７】
本発明の建具は、上枠、下枠、および左右の縦枠を有する窓枠と、この窓枠内側に支持された少なくとも室内側および室外側の一対の障子とを備え、これら一対の障子のうちの少なくとも室内側障子が開閉可能に構成された建具であって、前記下枠は、前記室内側障子の戸車を案内するレール部と、このレール部の室外側に隙間を介して設けられた下枠上面部とを備え、これらのレール部および下枠上面部の上面により当該下枠が上面略平坦に構成され、前記室内側障子は、前記レール部と前記下枠上面部との間に挿入される垂下片を有して構成され、この垂下片の室内側側面および前記レール部の室外側側面のいずれか一方には、他方に当接する気密材が設けられ、前記室内側障子の垂下片における前記一対の障子を閉じた状態で室内空間に位置する部分には、当該レール部上面に浸入した水を排水する排水手段が設けられていることを特徴とする。
【０００８】
ここで、室外側障子は、開閉可能に構成されていてもよく、また開閉不能な固定障子として構成されていてもよい。室外側障子を開閉可能に構成した場合には、本発明の建具は引違い窓となり、室外側障子を固定障子とした場合には、本発明の建具は内動片引き窓となる。なお、本発明の建具は、少なくとも室内外一対の障子を備えていればよく、３枚の障子を備えていてもよい。つまり、室内側障子よりも室内側、または室外側障子よりも室外側にもう１枚の障子を備えていてもよい。また、室内外一対の障子を２組備えた引き分けタイプ（四枚建て障子）の建具であってもよい。そして、室内外の障子としては、上框、下框、および左右の縦框（戸先框および召合せ框）を四周框組みした内部にガラスパネル等の面材が嵌め込まれた、一般的な障子が採用可能である。
また、室内側障子の垂下片における一対の障子を閉じた状態で室内空間に位置する部分とは、障子の下端縁に沿って連続する垂下片のうち、見込み方向に形成されるタイトラインよりも室内側に位置する部分を意味する。すなわち、見込み方向のタイトラインは、通常、障子の召合せ部下方に設けられて室内外を仕切る風止板等の気密部材によって形成され、この気密部材よりも室内側障子の召合せ框戸尻側に延びた垂下片に排水手段が設けられているものである。
【０００９】
以上の本発明によれば、室内側障子の面材を伝って下框内部に浸入し、下枠のレール部上面に落下した雨水等が気密材に阻まれて排水されず、レール部や気密材に沿って召合せ部下方まで達しても、この雨水等が垂下片に設けた排水手段によりレール部と下枠上面部との隙間に落下し、下枠に適宜設けた排水孔等を介して室外空間に排水される。従って、下枠上面をフラットに形成するレール部上面に浸入した水を、召合せ部を超えて室内側まで流入させずに、その手前で下枠内に落下させて排水することができ、障子を閉じた際に室内側に露出した下枠上面への雨水等の浸入がない建具を構成することができる。
【００１０】
この際、本発明の建具では、前記障子は上框、下框、および左右の縦框を有して形成され、前記下框の下端室外縁には、下方に突出した突出片が設けられ、前記室内側障子における召合せ部の縦框の下端部には、摺動片を有した摺動部材が設けられ、前記垂下片は、連続して配置された前記下框の突出片と前記摺動部材の摺動片とで構成され、前記排水手段は、前記摺動部材の摺動片に設けられていることが好ましい。
このような構成によれば、摺動部材の摺動片に排水手段を設けることで、障子の下框や縦框に排水手段を形成するための加工を施す必要がなくなり、加工手間を軽減することができる。
【００１１】
さらに、本発明の建具では、前記摺動部材は、前記レール部の上面に摺接するまたは近接する底面部を有して形成されていることが好ましい。
このような構成によれば、摺動部材の底面部がレール部の上面に摺接するまたは近接することで、レール部や気密材に沿って流れてきた雨水等が摺動部材に阻まれて召合せ部下方に浸入しにくくでき、室内側への雨水等の浸入をより確実に防止することができる。
【００１２】
また、本発明の建具では、前記排水手段は、前記垂下片の下端縁で開口する開口部であって、この開口部の上端は、前記レール部または前記気密材の上面よりも上方に位置していることが好ましい。
このような構成によれば、開口部で排水手段を構成することで、簡単な加工で排水手段を形成することができ、より一層加工手間を軽減することができる。さらに、排水手段である開口部を、レール部や気密材の上面よりも高い位置から垂下片の下端縁で開口したことで、レール部や気密材の上面に沿って流れてきた水を確実に垂下片の下方、つまりレール部と下枠上面部との隙間に落下させることができる。
【００１３】
また、本発明の建具では、前記室外側の障子は、前記下枠に設けられた室外側のレール部に案内されて開閉可能に構成され、前記下枠上面部は、前記室内外の各レール部間に着脱自在に設けられたレール間上面部材であり、前記室内側障子の垂下片の排水手段から排水された水は、前記レール間上面部材の下方に形成された下枠内部空間を介して室外空間に排水されることが好ましい。
このような構成によれば、室外側障子も開閉可能な引違い窓を構成することができるとともに、レール部と下枠上面部との隙間から落下させた水を下枠内部空間を介して確実に室外空間に排水することができる。また、下枠上面部を着脱可能なレール間上面部材で構成したことで、このレール間上面部材を取り外せば、下枠内部空間を容易に清掃することができる。
【発明を実施するための最良の形態】
【００１４】
以下、本発明の実施形態を図面に基づいて説明する。
図１は、本発明の第１実施形態に係るサッシ窓である引違い窓１０を室内側から見た正面図である。図２、図３は、引違い窓１０を示す縦断面図、および横断面図である。
図１〜図３において、引違い窓１０は、戸建て住宅等の建物の外壁開口部に設けられて建物の室内空間と室外空間とを仕切るもので、気密性や水密性、遮音性等について所定の性能を有している。そして、引違い窓１０の下枠１２（後述）は、上面が室外側のテラスやバルコニに設置されるデッキの上面および室内床面ＦＬと略同一の高さ位置に設けられ、上面略平坦（フラット）に形成されている。従って、居住者が引違い窓１０を通って室内外間を往来する際に、室内外床レベルの段差がないので上り下りする必要がなく、楽に出入りできるとともに、車いすを利用する居住者であっても容易に出入りできるようになっている。すなわち、引違い窓１０は、室内外の床段差を小さくした、バリアフリータイプ（ユニバーサルデザイン）の掃出し窓である。
【００１５】
引違い窓１０は、上枠１１、下枠１２、および左右の縦枠１３を四周枠組みした窓枠１４と、この窓枠１４の内側に開閉自在に支持された室内外一組の障子１５とを備えて構成されている。窓枠１４は、建物の外壁開口部における柱や壁パネル等の建物躯体に固定されている。障子１５は、上框１６、下框１７、および左右の縦框１８を四周框組みした内部に、ガラスパネル（複層ガラス）１９を嵌め込んで構成されている。このガラスパネル１９は、上框１６、下框１７、および左右の縦框１８の内周開口部に設けられたガスケット１９Ａに支持されている。また、一組の障子１５の室外側には、網戸２０が窓枠１４内に開閉自在に支持されている。網戸２０は、四周枠組みされた網戸枠２１と、この網戸枠２１に固定されたネット２２とを有して構成されている。
【００１６】
一組の障子１５は、室内側障子１５Ａと、室外側障子１５Ｂとが、窓枠１４の見付け方向（図３中、左右方向）略中央位置の召合せ部分２３で重なって閉じるようになっている。そして、室内外の障子１５Ａ，１５Ｂは、召合せ部分２３の縦框（召合せ框）１８Ａ，１８Ｂに設けられた引戸錠であるクレセント２４により施錠できるようになっている。さらに、室内外の障子１５Ａ，１５Ｂにおける戸先側の縦框（戸先框）１８Ｃ，１８Ｄには、各障子１５Ａ，１５Ｂを開閉操作するためのハンドル２５が取り付けられている。
【００１７】
窓枠１４の上枠１１、下枠１２、および縦枠１３は、それぞれの室内側に配置される室内部材１１１，１２１，１３１と、室外側に配置される室外部材１１２，１２２，１３２と、これらアルミ押出形材製の室内部材１１１，１２１，１３１および室外部材１１２，１２２，１３２を連結する断熱部材１１３，１２３，１３３とを備えて構成されている。また、障子１５の上框１６、下框１７、および縦框１８Ａ，１８Ｃ，１８Ｄは、それぞれの室内側に配置される室内部材１６１，１７１，１８１と、室外側に配置される室外部材１６２，１７２，１８２と、これらアルミ押出形材製の室内部材１６１，１７１，１８１および室外部材１６２，１７２，１８２を連結する断熱部材１６３，１７３，１８３とを備えて構成されている。すなわち、引違い窓１０は、窓枠１４および障子１５における室内外間の熱の伝達が抑制された断熱サッシから構成されており、冷暖房効率に優れるとともに、冬期における結露の発生が抑制できるようになっている。
【００１８】
次に、引違い窓１０における下枠１２の構造について、図４〜図６に基づいて詳しく説明する。
図４は、下枠１２を示す縦断面図である。図５、６は、それぞれ下枠１２を示す平面図、および分解斜視図である。
図４〜図６において、下枠１２は、前述の室内部材１２１、室外部材１２２および断熱部材１２３からなり建物の開口部に固定される下枠本体１２４と、障子１５の戸車１７４を案内する室内側および室外側のレール部３０（３０Ａ，３０Ｂ）と、これら室内外の各レール部３０Ａ，３０Ｂの室外側側面に取り付けられて障子１５に当接する室内側および室外側の気密材３１（３１Ａ，３１Ｂ）と、室内外の各レール部３０Ａ，３０Ｂ間に着脱自在に設けられたレール間上面部材（下枠上面部）３２と、室内側レール部３０Ａよりも室内側に着脱自在に設けられた室内側上面部材３３と、室外側レール部３０Ｂよりも室外側に着脱自在に設けられた網戸レール３４とを備えて構成されている。そして、下枠１２は、室内部材１２１、室内側レール部３０Ａ、レール間上面部材３２、室外側レール部３０Ｂ、および網戸レール３４の各々の上面が略同一高さ位置に設けられて上面略フラットに形成されている。
【００１９】
下枠本体１２４の室内部材１２１には、室内側レール部３０Ａを支持する室内側レール支持部１２１Ａが形成されている。そして、室内側レール部３０Ａは、室内側レール支持部１２１Ａに着脱可能に係合されて下枠本体１２４に取り付けられている。また、室内部材１２１の室内側レール支持部１２１Ａの室内側には、上方に開口した室内側凹溝部１２１Ｂが形成されている。
一方、下枠本体１２４の室外部材１２２には、レール間上面部材３２を支持する室内外の上面部材支持部１２２Ａ，１２２Ｂと、室外側レール部３０Ｂを支持する室外側レール支持部１２２Ｃと、網戸レール３４を支持する網戸レール支持部１２２Ｄとが形成されている。そして、レール間上面部材３２は、上面部材支持部１２２Ａ，１２２Ｂに載置されて下枠本体１２４に取り付けられ、室外側レール部３０Ｂは、室外側レール支持部１２２Ｃに着脱可能に係合されて下枠本体１２４に取り付けられ、網戸レール３４は、網戸レール支持部１２２Ｄに載置されるとともに網戸レール支持部１２２Ｄに設けられた２箇所のの係止爪に係止されて下枠本体１２４に取り付けられている。
【００２０】
また、下枠本体１２４において、室外部材１２２の室内外の上面部材支持部１２２Ａ，１２２Ｂ下方には、室外側に下がる傾斜を有した傾斜面部１２２Ｅが形成されており、この傾斜面部１２２Ｅとレール間上面部材３２との間に下枠内部空間１２５が形成されている。この下枠内部空間１２５は、室外部材１２２の室外側側面に設けられ傾斜面部１２２Ｅに連続した排水孔（不図示）により室外空間に連通されており、下枠内部空間１２５に浸入した水などは、傾斜面部１２２Ｅを流れて排水孔から排出されるようになっている。また、室外部材１２２の室外側側面には、排水弁３９が取り付けられており、この排水弁３９は、排水孔を通って排出された水の逆流を防止するとともに、室外側から雨水が排水孔を通って下枠内部空間１２５側に吹き込むことを防止するようになっている。
【００２１】
次に、室内側および室外側のレール部３０Ａ，３０Ｂは、それぞれアルミ押出形材製で同一断面に形成され、上面部３０１と、この上面部３０１から上方に突出した戸車案内部３０２と、上面部３０１から下方に突出した２つの突出片部３０３とを有している。そして、室内外の各レール部３０Ａ，３０Ｂは、２つのの突出片部３０３で室内外のレール支持部１２１Ａ，１２２Ｃを挟持することで下枠本体１２４に着脱自在に取り付けられている。また、各レール部３０Ａ，３０Ｂの室外側の突出片部３０３の室外側側面には、断面略Ｃ字形の気密材保持部が形成されており、この気密材保持部に気密材３１が保持されている。気密材３１の上面と各レール部３０Ａ，３０Ｂの上面部３０１とは、略同一高さ位置に設けられている。
【００２２】
また、室内側レール部３０Ａの上面部３０１と室内側上面部材３３との間、および室内側の気密材３１Ａとレール間上面部材３２との間には、それぞれ隙間１２６が形成されており、これらの隙間１２６には、室内側障子１５Ａ下端縁に形成された室内外の垂下片１７５がそれぞれ挿入されている。これと同様に、室外側レール部３０Ｂの上面部３０１とレール間上面部材３２との間、および室外側の気密材３１Ｂと網戸レール３４との間には、それぞれ隙間１２６が形成されており、これらの隙間１２６には、室外側障子１５Ｂ下端縁に形成された室内外の垂下片１７５がそれぞれ挿入されている。これらの隙間１２６の幅寸法は、垂下片１７５を挿入するための最小限の寸法に設定されている。そして、室内外の障子１５Ａ，１５Ｂの各々における室外側垂下片１７５の室内側側面には、室内外の気密材３１Ａ，３１Ｂがそれぞれ当接するようになっている。これらの各気密材３１Ａ，３１Ｂは、例えば塩ビ（ＰＶＣ）等の弾性材料から形成され、先端が垂下片１７５に押圧されている。なお、各気密材３１Ａ，３１Ｂの材質は特に限定されない。
【００２３】
次に、レール間上面部材３２は、長尺角筒状に形成されたアルミ押出形材製の部材であり、図５、６に示すように、下枠１２の長手方向途中位置で三分割されており、図５、６中、左側から第１〜第３のレール間上面部材３２Ａ，３２Ｂ，３２Ｃの３つの部材から構成されている。第１および第２のレール間上面部材３２Ａ，３２Ｂの一方側（図５中、左側）端部、および第３のレール間上面部材３２Ｃの他方側（図５中、右側）端部には、それぞれつまみ部材３２１が取り付けられている。そして、第１および第２のレール間上面部材３２Ａ，３２Ｂは、第１のレール間上面部材３２Ａのつまみ部材３２１を縦枠１３に当接させるとともに、この第１のレール間上面部材３２Ａの他方側端部に第２のレール間上面部材３２Ｂのつまみ部材３２１を当接させ、第２のレール間上面部材３２Ｂの他方側端部を、下枠本体１２４に設けられた風止板３８に当接させて取り付けられている。また、第３のレール間上面部材３２Ｃは、一方側端部を風止板３８に当接させ、他方側端部のつまみ部材３２１を縦枠１３に当接させて取り付けられている。
【００２４】
また、第１および第２のレール間上面部材３２Ａ，３２Ｂは、室外側障子１５Ｂを開放した状態で、先ず第１のレール間上面部材３２Ａを上方に引き抜き、つづいて第２のレール間上面部材３２Ｂをスライドさせてから上方に引き抜いて取り外される。一方、第３のレール間上面部材３２Ｃは、室内側障子１５Ａを開放した状態で、上方に引き抜いて取り外されるようになっている。このように、レール間上面部材３２を下枠本体１２４から取り外すことによって、下枠内部空間１２５が上方に開口するため、掃除機等を用いて下枠内部空間１２５の清掃を容易に行うことができるようになっている。
【００２５】
一方、室内側上面部材３３は、下枠本体１２４における室内部材１２１の室内側凹溝部１２１Ｂに沿って上方に開口した凹溝状に形成されている。そして、室内側上面部材３３の上面は、室内部材１２１の上面よりも若干低い位置で、室内側レール部３０Ａの上面部３０１と略同一高さ位置に設けられている。このような室内側上面部材３３によれば、室内側レール部３０Ａと室内側上面部材３３との隙間１２６から室内側凹溝部１２１Ｂに入ったゴミや埃が室内側上面部材３３に溜まるようになっている。そして、室内側上面部材３３を下枠本体１２４から取り外すことで、溜まったゴミや埃を排出できて室内側凹溝部１２１Ｂの清掃を容易に行うことができるようになる。
【００２６】
次に、図５〜図７に示すように、下枠１２の長手方向略中央部（召合せ部２３の下方）の下枠本体１２４には気密部材である風止板３８が設けられている。この風止板３８は、下枠内部空間１２５を左右に仕切る、すなわち障子１５を閉じた状態で室内空間に連通する図５の左側と室外空間に連通する図５の右側とに下枠内部空間１２５を仕切る部材である。この風止板３８は、閉じた障子１５の召合せ側縦框１８Ａ，１８Ｂの下端部に当接するヒレ状の複数の当接片３８１を有しており、これにより召合せ部２３における見込み方向の気密ラインが形成されている。また、風止板３８の左右両端部には、第２および第３のレール間上面部材３２Ｂ，３２Ｃの端部に当接してこれらを位置決めする位置決め部３８２が形成されている。
【００２７】
次に、下枠１２における気密、水密構造について、図７〜図１１に基づいて詳しく説明する。
図７および図８は、引違い窓１０における召合せ部の下部を示す斜視図、および縦断面図である。図９は、室内側障子１５Ａの下部を拡大して示す縦断面図である。図１０(Ａ)〜(Ｃ)は、室内側の召合せ框１８Ａ下端に設けられる摺動部材４０を示す三面図である。図１１は、摺動部材４０を示す斜視図である。
【００２８】
引違い窓１０の召合せ部２３を構成する室内側障子１５Ａの縦框（召合せ框）１８Ａ下端には、樹脂製一体成形品の摺動部材４０が取り付けられている。この摺動部材４０は、縦框１８Ａの下方から挿入されるとともにビス止めにより取り付けられるもので、下方に突出した室内外２つの摺動片４１を備えて形成されている。これらの摺動片４１は、障子１５における下框１７の下端室内外両縁から下方に突出して形成された突出片１７６に連続して設けられ、これらの摺動片４１および突出片１７６によって前記垂下片１７５が構成されている。従って、摺動部材４０の摺動片４１は、下枠１２上面に形成された隙間１２６に挿入されるとともに、室外側の摺動片４１には、室内側の気密材３１Ａが室内側側面に当接され、風止板３８の当接片３８１が室外側側面および下端縁に当接されている。このように風止板３８による見込み方向の気密ラインと、気密材３１による横方向の気密ラインとが連続形成されるようになっている。
【００２９】
以上のような風止板３８と摺動部材４０とによって引違い窓１０の召合せ部２３下方における気密、水密構造が構成され、室外空間から雨水等が浸入しないようになっている。しかし、強風を伴う降雨の場合などには、障子１５のガスケット１９Ａの弾性変形によりガラスパネル１９とガスケット１９Ａとの間から雨水等が下框１７や縦框１８内部に浸入してしまう可能性がある。このように下框１７や縦框１８内部に浸入した雨水は、図９に一点鎖線の矢印で示すように、レール部３０の上面に落下し、レール部３０の上面部３０１や気密材３１の上面に溜まってしまう。これは、気密材３１と垂下片１７５とが当接しているため、雨水が下方に落下できないからであり、溜まった雨水は、レール部３０の上面部３０１や気密材３１に沿って流れることとなる。そして、室内側レール部３０Ａにおいて、上面部３０１や気密材３１Ａの上面は、横気密ラインよりも室内側、つまり室内空間に位置するため、室内側障子１５Ａの縦框（召合せ框）１８Ａを超えて図７の右側に雨水が流れると、室内側に露出した下枠上面（上面部３０１、気密材３１Ａの上面）に雨水が流入してしまうこととなる。
【００３０】
そこで、本実施形態の摺動部材４０の摺動片４１には、室内側のレール部３０Ａの上面部３０１や気密材３１Ａに沿って流れてきた雨水等を排水するための排水手段である排水開口部４２が設けられている。この排水開口部４２は、室外側の摺動片４１の室内外の側面に開口し、かつレール部３０Ａの上面部３０１および気密材３１Ａの上面よりも高い位置から摺動片４１の下端縁で開口された開放形状とされている。そして、排水開口部４２は、室内側障子１５Ａを閉じた状態において、図７に示すように、風止板３８の当接片３８１、つまり見込み方向の気密ラインよりも室内側（図中、右側）に形成されており、室外空間の風雨等が排水開口部４２から室内側に入り込まないようになっている。このような排水開口部４２により、室内側のレール部３０Ａの上面部３０１や気密材３１Ａに沿って流れてきた雨水等は、下枠１２上面の隙間１２６を介して下枠内部空間１２５に排出され、前記排水弁３９を介して室外空間に排水されるようになっている。
【００３１】
また、摺動部材４０の底面部４３は、レール部３０Ａの上面部３０１および戸車案内部３０２に沿った形状になっている、すなわち、上面部３０１に沿った略水平な部分と戸車案内部３０２に沿って上向き凸な部分とを有して形成されている。従って、レール部３０Ａの上面部３０１や気密材３１Ａに沿って流れてきた雨水等が、上面部３０１や気密材３１Ａに近接した摺動部材４０の底面部４３に阻まれ、室内側障子１５Ａの縦框（召合せ框）１８Ａを超えて室内側に流入しにくくなっている。
【００３２】
このような本実施形態によれば、以下のような効果がある。
（１）すなわち、室内側のレール部３０Ａの上面部３０１や気密材３１Ａに沿って流れてきた雨水等が、摺動部材４０の摺動片４１に形成した排水開口部４２から排水されるので、下枠１２上面をフラットに形成するレール部３０Ａ上面に浸入した水を、召合せ部２３を超えて室内側まで流入させずに、その手前で下枠内部空間１２５に落下させて排水することができ、障子１５を閉じた際に室内側に露出した下枠１２上面への雨水等の浸入がない引違い窓１０を構成することができる。
【００３３】
（２）また、樹脂製一体成形品の摺動部材４０の摺動片４１に排水開口部４２を設けることで、アルミ形材製の下框１７に排水開口部４２を形成するための加工を施す必要がなくなり、加工手間を軽減することができる。つまり、下框１７がアルミ形材製であることから、このアルミ形材に加工を施すと手間が増加してしまうが、摺動部材４０はアルミ形材製ではなく樹脂成形品であるため、このような摺動部材４０の摺動片に排水開口部４２を形成することは比較的容易で、加工手間の増加を招かずに製造することができる。
【００３４】
（３）さらに、排水開口部４２がレール部３０の上面部３０１や気密材３１の上面よりも高い位置から摺動片４１の下端縁まで延長して形成されているので、レール部３０や気密材３１の上面に沿って流れてきた水を確実に摺動片４１の下方、つまりレール部３０とレール間上面部材３２との隙間に落下させることができる。
【００３５】
（４）また、摺動部材４０の底面部４３がレール部３０の上面に近接して設けられることで、レール部３０や気密材３１に沿って流れてきた雨水等が摺動部材４０の底面部４３に阻まれて召合せ部２３下方に浸入しにくくでき、室内側への雨水等の浸入をより確実に防止することができる。
【００３６】
なお、本発明は、前記実施形態に限定されるものではなく、本発明の目的を達成できる他の構成等を含み、以下に示すような変形等も本発明に含まれる。
例えば、前記実施形態においては、室内外一対の障子１５を有する引違い窓１０を例示して説明したが、本発明の建具は引違い窓１０に限られず、片引き窓であってもよい。本発明の建具が片引き窓の場合には、前記実施形態と同様の窓枠内側に固定障子が固定され、この固定障子の室内側に沿って開閉自在に１枚の可動障子が支持されることとなる。この際、下枠としては、前記実施形態の下枠１２と略同様の構成を有した下枠を用いることができる。すなわち、片引き窓の下枠は、下枠本体と、可動障子を支持するレール部と、このレール部の室外側に隙間を介して設けられた下枠上面部と、この下枠上面部とを備えて構成可能である。このような構成によれば、前述の効果と略同様の効果を備えた内動片引き窓を形成することができる。
さらに、本発明の建具は、少なくとも室内外一対の障子を備えていればよく、３枚の障子を備えていてもよい。つまり、室内側障子よりも室内側、または室外側障子よりも室外側にもう１枚の障子を備えていてもよい。また、室内外一対の障子を２組備えた引き分けタイプ（四枚建て障子）の建具であってもよい。
【００３７】
また、前記実施形態では、レール部３０およびレール間上面部材（下枠上面部）３２が下枠本体１２４に対して着脱可能に構成されていたが、これに限らず、レール部およびレレール間上面部材（下枠上面部）が下枠本体に一体に形成されていてもよい。
また、前記実施形態では、摺動部材４０の摺動片４１に排水開口部４２を形成したが、これに限らず、召合せ框の下端縁に下方に突出した突出片（垂下片）を形成し、この突出片に排水手段を設けてもよい。また、排水手段は、垂下片を貫通する孔でもよく、垂下片の室内側側面に形成した溝でもよく、また排水弁のような排水器具でもよい。
【００３８】
また、前記実施形態では、下枠１２の長手方向略中央部に風止板３８を設け、この風止板３８により見込み方向の気密ラインを形成したが、これに限らず、障子１５の下端面に風止板等の気密部材を設けてもよい。
また、前記実施形態では、気密材３１がレール部３０に取り付けられていたが、これに限らず、気密材が垂下片に取り付けられていてもよい。
【００３９】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４０】
【図１】本発明の実施形態に係る建具を室内側から見た正面図である。
【図２】前記建具を示す縦断面図である。
【図３】前記建具を示す横断面図である。
【図４】前記建具における下枠を示す縦断面図である。
【図５】前記下枠を示す平面図である。
【図６】前記下枠を示す分解斜視図である。
【図７】前記建具における召合せ部の下部を示す斜視図である。
【図８】前記召合せ部の下部を示す縦断面図である。
【図９】前記建具における室内側障子の下部を拡大して示す縦断面図である。
【図１０】(Ａ)〜(Ｃ)は、室内側の召合せ框下端に設けられる摺動部材を示す三面図である。
【図１１】前記摺動部材を示す斜視図である。
【符号の説明】
【００４１】
１１…上枠、１２…下枠、１３…縦枠、１４…窓枠、１５…障子、１６…上框、１７…下框、１８…縦框、３０…レール部、３１…気密材、３２…下枠上面部であるレール間上面部材、４０…摺動部材、４１…摺動片、４２…排水手段である排水開口部、４３…底面部、１２５…下枠内部空間、１２６…隙間、１７５…垂下片、１７６…突出片。
【図１】
2006188818.tif 000003
【図２】
2006188818.tif 000004
【図３】
2006188818.tif 000005
【図４】
2006188818.tif 000006
【図５】
2006188818.tif 000007
【図６】
2006188818.tif 000008
【図７】
2006188818.tif 000009
【図８】
2006188818.tif 000010
【図９】
2006188818.tif 000011
【図１０】
2006188818.tif 000012
【図１１】
2006188818.tif 000013